(57)【要約】【課題】  組立時にネジで固定する前でも接合状態を保つことができてネジ止め等による結合がし易く、しかもパッキンによる高い気密性が保持できる浴室用天井材を提供する。【解決手段】  一対の天井材を組み合わせて構成される浴室用天井材である。一対の天井材は重ね合わせ状に接合されるように、一方の天井材１には接合方向に張出した接合端部３を有する。接合端部３には接合方向に傾斜した傾斜面４ａを有する膨出部５が設けられており、他方の天井材２には膨出部５に対応した凹部６が設けられている。膨出部５と凹部６が嵌り込むように螺合されることにより、一方の天井材１と他方の天井材２が傾斜面４ａに沿って接合方向に近接し、一方の天井材１と他方の天井材２の間に配置したパッキン７が密接固定されるようになっている。【選択図】        図２
2008214885.tif 000002
【特許請求の範囲】
【請求項１】
少なくとも一対の天井材を組み合わせて構成される浴室用天井材であって、
一対の天井材は重ね合わせ状に接合されるように、一方の天井材には接合方向に張出した接合端部を有し、
前記接合端部には接合方向に傾斜した傾斜面を有する膨出部が設けられているとともに、
他方の天井材には前記膨出部に対応した凹部が設けられており、
前記膨出部と前記凹部が嵌り込むように固定されることにより、一方の天井材と他方の天井材が傾斜面に沿って接合方向に近接され、
一方の天井材と他方の天井材の間に配置したパッキンにより密接固定される
ことを特徴とする浴室用天井材。
【請求項２】
前記凹部には天井材の外面へ連通する貫通孔を有し、
前記貫通孔より前記膨出部に向かって略垂直方向に固定手段を螺着することにより
前記膨出部の接合端部側に形成した傾斜面とそれに対応する前記凹部の傾斜面との間に配置されたパッキンを挟持して一方の天井材と他方の天井材が密接固定される
ことを特徴とする請求項１記載の浴室用天井材。
【請求項３】
前記膨出部および前記凹部は接合端部に沿って所定の間隔で複数配置されている
ことを特徴とする請求項１または２記載の浴室用天井材。
【請求項４】
前記パッキンは発泡体、ゴム、軟質樹脂からなる群より選ばれる
ことを特徴とする請求項１から３記載のいずれかに記載の浴室用天井材。
【発明の詳細な説明】
【技術分野】
【０００１】
本発明は、少なくとも一対の天井材を組み合わせて構成される浴室用天井材に関するものである。
【背景技術】
【０００２】
少なくとも一対の天井材を突き合わせ状に連結して構成される浴室用天井材は、特開２００６−３０７５７０公報および特許第３４８５１７７号公報に記載されている。
【特許文献１】特開２００６−３０７５７０公報
【特許文献２】特許第３４８５１７７号公報
【発明の開示】
【発明が解決しようとする課題】
【０００３】
特許文献１に記載されている天井材は、一対の構成部材を重ね合わせ状に接合されるので、組立時にネジで固定する前でも接合状態を保つことができてネジ止めがし易いが、一対の構成部材の接合部分に十分な気密性が得られず、また施工状態に応じて一対の構成材の接合方向および上下方向の調節ができないものであり、特許文献２に記載されている天井材も接合部の気密性および接合調節の点では同様である。
【０００４】
そこで本発明は、一対の天井材を重ね合わせ状に、かつ一方の天井材と他方の天井材が傾斜面に沿って接合方向に近接して、一方の天井材と他方の天井材の間に配置したパッキンにより密接固定されるようにしたことにより、組立時にネジで固定する前でも接合状態を保つことができてネジ止め等による結合がし易く、しかもパッキンによる高い気密性が保持できる浴室用天井材を提供することを目的とするものである。
【課題を解決するための手段】
【０００５】
上記目的を達成するため本発明は請求項１ないし４に係る浴室用天井材を提案する。すなわち、請求項１に係る浴室用天井材は、少なくとも一対の天井材を組み合わせて構成される浴室用天井材であって、一対の天井材は重ね合わせ状に接合されるように、一方の天井材には接合方向に張出した接合端部を有し、前記接合端部には接合方向に傾斜した傾斜面を有する膨出部が設けられているとともに、他方の天井材には前記膨出部に対応した凹部が設けられており、前記膨出部と前記凹部が嵌り込むように固定されることにより、一方の天井材と他方の天井材が傾斜面に沿って接合方向に近接され、一方の天井材と他方の天井材の間に配置したパッキンにより密接固定されることを特徴とするものである。
【０００６】
請求項２に係る浴室用天井材は、請求項１の構成において、前記凹部には天井材の外面へ連通する貫通孔を有し、前記貫通孔より前記膨出部に向かって略垂直方向に固定手段を螺着することにより前記膨出部の接合端部側に形成した傾斜面とそれに対応する前記凹部の傾斜面との間に配置されたパッキンを挟持して一方の天井材と他方の天井材が密接固定されることを特徴とするものである。
【０００７】
請求項３に係る浴室用天井材は、請求項１または２の構成において、前記膨出部および前記凹部は接合端部に沿って所定の間隔で複数配置されていることを特徴とするものである。
【０００８】
請求項４に係る浴室用天井材は、請求項１から３のいずれかの構成において、前記パッキンは発泡体、ゴム、軟質樹脂からなる群より選ばれることを特徴とするものである。
【発明の効果】
【０００９】
本発明に係る浴室用天井材よれば、一対の天井材を重ね合わせ状に、かつ一方の天井材と他方の天井材が傾斜面に沿って接合方向に近接して、一方の天井材と他方の天井材の間に配置したパッキンにより密接固定されるようにしたことにより、組立時にネジで固定する前でも接合状態を保つことができてネジ止め等による結合がし易く、しかもパッキンによる高い気密性が保持できる効果が得られる。
【００１０】
またネジ等の締め上げ度合いにより一対の天井材の接合方向および上下方向の調節が可能であるとともに、いずれの態様においてもパッキンによる高い気密性が保持できる効果が得られる。
【発明を実施するための最良の形態】
【００１１】
図面は本発明の一実施の形態に係る浴室用天井材を示し、図１は一対の天井材を突き合わせて連結する前の態様を示す斜視図、図２ないし図４は同上一部の詳細断面図であって、図２は固定手段のネジ止め前の状態を、図３はネジ締め上げ過程の状態を、図４はネジ締め上げ完了の状態をそれぞれ示している。
【００１２】
本発明に係る浴室用天井材は、一対の天井材を突き合わせ、その突き合わせ面を互いに連結して構成されるものである。すなわち、１はその一方の天井材、２は他方の天井材であって、これら一方の天井材１と他方の天井材２は、それぞれ略左右対称形状である。
【００１３】
一対の天井材１、２のうち一方の天井材１は、他方の天井材２に対して重ね合わせ状に接合されるように、接合方向に張出した接合端部３を有するとともに、この接合端部３には、接合方向に傾斜した傾斜面４ａを有する膨出部５が設けられている。他方の天井材２には、前記一方の天井材１の膨出部５に対応した凹部６が設けられており、前記膨出部５と前記凹部６が嵌り込むように重ね合わせた後にネジ等の固定手段を締め上げるようにして螺着することにより、一方の天井材１と他方の天井材２が傾斜面４ａに沿って接合方向に近接され、一方の天井材１と他方の天井材２の間に配置したパッキン７を押し潰しながら密接固定される構成となっている。膨出部５および凹部６は接合端部３に沿って所定の間隔で複数配置されている。パッキン７はウレタン等の発泡体、ゴム、軟質樹脂からなるものである。
【００１４】
前記他方の天井材２の凹部６にはその外面へ通じる貫通孔８を有し、この貫通孔８より固定手段であるネジ９を一方の天井材１の膨出部５のネジ孔１０に略垂直方向に挿通固定することにより、前記膨出部５と前記凹部６の間に配置されたパッキン７を挟持して、一方の天井材１と他方の天井材２が密接固定される。貫通孔８は凹部６の上面の壁をコンプレッションにより一体に溶着させ中実状とした位置に開口される。ネジ孔１０はネジ９のねじ込みにより形成するか、あるいは予めネジ９を螺合するためのナットを取り付けておいてもよい。
【００１５】
一方の天井材１および他方の天井材２は、熱可塑性樹脂をブロー成形した中空二重壁構造であって、中空部１１、１１の全体または一部には断熱や遮音などのために発泡材を充填することができる（発泡材については図示省略）。その発泡材としては、不活性気体の混入（気体混入法）や発泡剤分解法、溶剤気散法、化学反応あるいは水蒸気加熱などにより発泡するポリエチレン樹脂、ポリプロピレン樹脂、エチレン酢酸ビニル共重合体樹脂、アクリル樹脂、ポリ塩化ビニル樹脂、ポリスチレン樹脂、ＡＢＳ樹脂、変性ポリフェニレンオキサイド樹脂、ポリウレタン樹脂、ナイロン樹脂、フェノール樹脂、ユリア樹脂などであるが、これらのうち特にポリエチレン樹脂、ポリプロピレン樹脂、ポリ塩化ビニル樹脂、ポリスチレン樹脂、変性ポリフェニレンオキサイド樹脂等の発泡済みの又は不完全発泡の粒状体である発泡ビーズを用いて水蒸気加熱により両者を溶着するのが好適である。
【００１６】
本発明に係る浴室用天井材は、適宜の寸法に成形可能であるが、通常、その寸法は１２００×１６００（ｍｍ）、１６００×１６００（ｍｍ）、１６００×２０００（ｍｍ）である。
【００１７】
本発明に係る浴室用天井材を構成する樹脂は、引張弾性率が７０００Ｋｇ／ｃｍ2以上の剛性を有するプラスチックが好適であり、高密度ポリエチレン樹脂、中密度ポリエチレン樹脂、ポリプロピレン樹脂、ポリアミド樹脂、ポリエチレンテレフタート樹脂、ポリブチレンテレフタート樹脂、ポリスチレン樹脂、ＡＢＳ樹脂、ポリカーボネート樹脂、変性ポリフェニレンオキサイド樹脂あるいはこれらのブレンド物など、剛性にすぐれたブロー成形可能な熱可塑性樹脂である。
【００１８】
本発明に係る浴室用天井材は、前記膨出部５と前記凹部６が嵌り込むように重ね合わせた後に他方の天井材２の凹部６の貫通孔８より固定手段であるネジ９を一方の天井材１の膨出部５のネジ孔１０に略垂直方向に螺着することにより、膨出部５の接合端部側に形成した傾斜面４ａとそれに対応する凹部６の傾斜面４ｂとの間に配置されたパッキン７を挟持して、一方の天井材１と他方の天井材２が密接固定するように構成されているので、組立時にネジ９で固定する前でも接合状態を保つことができてネジ止め等による結合がし易く、しかもパッキン７による高い気密性が保持できる。また、ネジ９の締め上げ度合いによって一対の天井材１、２の接合方向および上下方向の調節が可能であるとともに、いずれの態様においてもパッキン７による高い気密性が確保される。
【図面の簡単な説明】
【００１９】
【図１】本発明の一実施の形態に係る浴室用天井材を示し、一対の天井材を突き合わせて連結する前の態様を示す斜視図である。
【図２】同上固定手段のネジ止め前の状態を示す詳細断面図である。
【図３】同上固定手段のネジ締め上げ過程の状態を示す詳細断面図である。
【図４】同上ネジ締め上げ完了の状態を示す詳細断面図である。
【符号の説明】
【００２０】
１  一方の天井材
２  他方の天井部材
３  接合端部
４ａ、４ｂ  傾斜面
５  膨出部
６  凹部
７  パッキン
８  貫通孔
９  ネジ
１０  ネジ孔
１１  中空部
【図１】
2008214885.tif 000003
【図２】
2008214885.tif 000004
【図３】
2008214885.tif 000005
【図４】
2008214885.tif 000006